(57)【要約】【課題】乳牛の排出する糞尿の含水率を短時間に且つ所定の低含水率の糞尿にすることができる糞尿の水分低減装置を提供する。【解決手段】糞尿処理槽１の底壁１ａに排水口２を配設し、その夫々の排水口２，２，…の上面に濾材３，３，…を施設すると共に、外部のブロワ４から導出する主管５から分岐した多数の噴気孔６，６，…を配設した噴気用支管５ａ，５ａ，…のこれら噴気孔６，６，…を該糞尿書理想１の内部空間に露出せしめた。【選択図】      図１
2004358439.tif 000002
【特許請求の範囲】
【請求項１】
糞尿処理槽の底壁に部分的に排水口を配設すると共にこれら排水口の上面に濾材を敷設し、且つ外部のブロワから導出する主管のから分岐する夫々の噴気用支管に配設した多数の噴気孔を該糞尿処理槽の底部に配置したことを特徴とする糞尿の水分低減装置。
【請求項２】
上記のこれら排水口の下方に形成した排水用通路を介し尿貯溜槽に接続したことを特徴とする請求項１に記載の糞尿の水分低減装置。
【請求項３】
該糞尿処理槽の床壁に配設した排水口の夫々を長矩形状の排水口に形成すると共に、その下方に形成した排水用通路をその夫々の排水口に連通する第１排水用通路とこれら第１排水用通路と交叉する共通一本の第２排水用通路とで構成すると共に該第２排水用通路を該尿貯溜槽内に連通せしめるようにする一方、外部のブロワから導出する主管から分岐し、且つ該糞尿処理槽の底壁に埋設された噴気用支管に夫々配設した多数の噴気孔を該糞尿処理槽の内部空間に露出せしめたことを特徴とする請求項１又は２に記載の糞尿の水分低減装置。
【請求項４】
該糞尿処理槽の床壁に配設した排水口の下方にこれら排水口に共通する排水用通路に形成したことを特徴とする請求項１又は２に記載の糞尿の水分低減装置。
【請求項５】
各該濾材の上面及び噴気用支管の各該噴気孔として形成した噴気用ノズルの上端は、該糞尿処理槽の床面より上方に突出しないようにしたことを特徴とする請求項１〜４のいずれか１つに記載の糞尿の水分低減装置。
【請求項６】
該糞尿処理槽は、成形床壁とコ字状の成形囲枠壁と該コ字状の成形囲枠壁の両側壁間の開放側面を閉塞自在に設けた閉塞板とから成ることを特徴とする請求項１〜５のいずれか１つに記載の糞尿の水分低減装置。
【請求項７】
該糞尿処理槽の該コ字状の成形囲枠壁のコ字状内周面に垂直方向に多数の凹溝を形成された誘水板を添着したことを特徴とする請求項１〜６のいずれか１つに記載の糞尿の水分低減装置。
【請求項８】
請求項１乃至７のいずれか１つに記載の装置を複数ユニット配設したことを特徴とする糞尿の水分低減装置。
【請求項９】
請求項１乃至７のいずれか１つに記載の装置の糞尿処理槽の複数槽を、共通１個のブロワに対し並列に配設し、その主管から分岐し且つ並列する主管の夫々に電磁弁を設けたことを特徴とする糞尿の水分低減装置。
【請求項１０】
請求項８に記載の一ユニット又は複数ユニットの装置を用い、各ユニットの糞尿処理槽内に処理すべき糞尿の所望量を仕込んだ後、各ユニットのブロワを間歇的に運転し、各槽内の噴気用支管に配設された噴気孔より糞尿に対し所定時間の通風と所定時間の通気停止とを繰り返し行うようにしたことを特徴とする糞尿の水分低減方法。
【請求項１１】
請求項９に記載の装置を用い、これらに共通１個のブロワを間歇的に運転し、並列に配設された複数の糞尿処理槽の夫々の電磁弁を交互に或いは順次切換えて夫々の糞尿処理槽内に仕込んだ糞尿に対し、各糞尿処理槽内の多数の噴気孔より所定時間の通風と所定時間の通気停止の繰り返しを交互に或いは順次に循環自在に行うようにしたことを特徴とする糞尿の水分低減方法。
【発明の詳細な説明】
【０００１】
【発明の属する技術分野】
本発明は、糞尿の水分離低減置及び水分低減方法に関する。
【０００２】
【従来の技術】
従来、乳牛より排出される水分率約９０％の糞尿を堆肥化処理に適するように、予め、これに水分調整材を混ぜて堆肥化処理に適した含水率を冬季では６５％前後に、夏季では７０％程度に調整することが行われているが、水分調整材として主に使用されているオガ屑やモミガラなどは一般に入手できるが、地域によっては入手困難なところもあり、また、近年高価となり、畜産農家にとり経済的負担が増大し、経営を困難にしているのが現状である。
水分調整材として、オガ屑を単独で使用する代わりに、その一部をいわゆる“戻し堆肥”（即ち、先に糞尿を堆肥化処理して得られた堆肥を水分調整材として用いる堆肥のこと）を水分調整材として併用することが考えられるが、それでも、その使用量は大きいものとなり、経済負担が増大することに変わりはない。
下記表１は、乳牛１００頭が一日に排出した含水率８９％の糞尿６，０００Ｋｇに、オガ屑と戻し堆肥とを混合して堆肥化処理に適する、例えば含水率約６５％の糞尿に調整した場合のオガ屑と戻し堆肥との使用量は、夫々３，０００Ｋｇである。
【０００３】
【表１】
2004358439.tif 000003
【０００４】
そこで、水分調整材の使用量を少なくするには、水分調整材を混入する前に、糞尿の含水率を減少させることが考えられる。
【０００５】
例えば、前記の表１に示す含水率８９％の糞尿の水分を低減し、例えば、含水率８５％の糞尿に調整した場合、即ち、含水率４％低くしただけで、下記表２に示すように、表１と対比し明らかなように、糞尿中の尿は１，６００Ｋｇ減少し、オガ屑の使用量は１，５００Ｋｇと表１の半分ですみ、戻し堆肥は２，４００Ｋｇですみ、水分調整材が著しく節約できることが分かる。
【０００６】
【表２】
2004358439.tif 000004
【０００７】
また、例えば、含水率８９％の糞尿を含水率８０％の糞尿に減水した場合には、下記表３に示すように、戻し堆肥のみを糞尿と同量の僅か３，３００Ｋｇ使用するだけで、含水率６５％の堆肥化物が得られる。
【０００８】
【表３】
2004358439.tif 000005
【０００９】
【発明が解決しようとする課題】
糞尿の水分〈即ち、尿分〉を低減する手段として、糞尿を所望の加熱源を用いて糞尿を加熱して水分を蒸発させることが考えられるが、この場合は、その加熱手段に用いる経費が相当高くつき、不経済で採用できない。
別の水分低減手段として、糞尿を遠心分離機を利用することが考えられるが、この場合は、固形分である糞も遠心分離により分離された尿に５０％位混ざって排出されてしまい、堆肥化すべき糞尿量は半減する一方、その分離して得られた有機物を多量に含む尿の後始末が大変である。
更に別の水分低減手段として、糞尿処理槽の底壁に配設した貫通孔に、尿のみを濾過するに適した微細な孔径を有する微多孔性の板状濾材を敷設して成る糞尿濾過槽を構成し、該濾材の上面に糞尿の所望量を仕込み、このまゝの状態で、含有水分である尿のみを重力にまかせて自然濾過し所望の含水率の糞尿まで水分、即ち尿分を除去する水分低減手段が考えられ、実際に、この糞尿濾過槽を用いてその水分低減手段を試みたところ、例えば、乳牛の含水率８９％の糞尿の６，０００Ｋｇを投入収容し、静置状態で含有水分、即ち尿を重力を利用する自然濾過にまかせて含水率８５％の糞尿となるまで、即ち、含水率４％の尿量を除去処理する糞尿の水分低減手段を多数回試みた結果は、その含水率４％を除去するまでに３０〜４０日位の期間を要するばかりでなく、重力により、固形分は沈み堆積し、緻密な嫌気状態となるため、処理中に嫌気発酵し、アンモニア、メタンガスなどの悪臭が発生し、また、処理後の糞尿は、堆肥化処理時における発酵エネルギーが減少し、高温発酵が得られないなど不利な糞尿をもたらすなどの不都合を伴った。
【００１０】
【課題を解決するための手段】
上記の課題を有する技術に鑑み、この課題を解消し、乳牛が排出した糞尿の含水率を短時間で高能率に所要の水分低減処理を可能とし、且つその結果、水分調整材の配合量を節減でき、堆肥化に適した調整糞尿が得られ、従って、それだけ、堆肥化発酵処理槽の床面積も小さくてすむなどの効果をもたらす糞尿の水分低減装置とその水分低減方法を提供するもので、その本発明の基本的な糞尿の水分低減装置は、糞尿処理槽の底壁に部分的に排水口を配設すると共にこれら排水口の上面に濾材を敷設し、且つ外部のブロワから導出する主管のから分岐する夫々の噴気用支管に配設した多数の噴気孔を該糞尿処理槽の底部に配置したことを特徴とする。
更に本発明は、上記のこれら排水口の下方に形成した排水用通路を介し尿貯溜槽に接続したことを特徴とする。
更に本発明は、上記の装置において、該糞尿処理槽の床壁に配設した排水口の夫々を長矩形状の排水口に形成すると共に、その下方に形成した排水用通路をその夫々の排水口に連通する第１排水用通路とこれら第１排水用通路と交叉する共通一本の第２排水用通路とで構成すると共に該第２排水用通路を該尿貯溜槽内に連通せしめるようにする一方、外部のブロワから導出する主管から分岐し、且つ該糞尿処理槽の底壁に埋設された複数本の噴気用支管に夫々配設した多数の噴気孔を該糞尿処理槽の内部空間に露出せしめたことを特徴とする。
更に本発明は、該糞尿処理槽の床壁に配設した排水口の下方にこれら排水口に共通する排水用通路に形成したことを特徴とする。
更に本発明は、上記の装置において、各該濾材の上面及び噴気用支管の各該噴気孔として形成した噴気用ノズルの上端は、該糞尿処理槽の床面より上方に突出しないようにしたことを特徴とする。
更に本発明は、上記の装置において、該糞尿処理槽は、成形床壁とコ字状の成形囲枠壁と該コ字状の成形囲枠壁の両側壁間の開放側面を閉塞自在に設けた閉塞板とから成ることを特徴とする。
更に本発明は、上記の装置において、該糞尿処理槽の該コ字状の成形囲枠壁のコ字状内周面に垂直方向に多数の凹溝を形成された誘水板を添着したことを特徴とする。
更に本発明は、上記の装置を複数ユニット配設したことを特徴とする。
更に本発明は、上記の装置において、その装置の糞尿処理槽の複数槽を、共通１個のブロワに対し並列に配設し、その主管から分岐し且つ並列する主管の夫々に電磁弁を設けたことを特徴とする。
更に本発明は、上記の装置の一ユニット又は複数ユニットを用いた糞尿の水分低減方法を提供するもので、各ユニットの該糞尿処理槽内に処理すべき糞尿の所望量を仕込んだ後、各ユニットのブロワを間歇的に運転し、各槽内の噴気用支管に配設された噴気孔より糞尿に対し所定時間の通風と所定時間の通気停止とを繰り返し行うようにしたことを特徴とする。
更に本発明は、１つのブロワに対し複数の糞尿処理槽を並列に配設して成る装置を用いた糞尿の水分低減方法を提供するもので、これらに共通１個のブロワを間歇的に運転し、並列に配設された複数の糞尿処理槽の夫々の電磁弁を交互に或いは順次切換えて夫々の糞尿処理槽内に仕込んだ糞尿に対し、各糞尿処理槽内の多数の噴気孔より所定時間の通風と所定時間の通気停止の繰り返しを交互に或いは順次に循環自在に行うようにしたことを特徴とする。
【００１１】
【発明の実施の形態】
以下に、本発明の実施の形態を例示した添付図面に基づいて説明する。
図１乃至図１３から明らかなように、本発明の糞尿の水分低減装置の基本構成は、敷地Ｇに少なくとも１つの糞尿処理槽１を設置し、その底部１ａに部分的に複数個の排水口２，２，…を配設し、その各排水口２の上面に該糞尿処理槽１内に仕込まれる糞尿の水分、即ち尿分を濾過するに適した多数の微多孔３ａ，３ａ，…を有する濾材３を敷設し、外部のブロワ４から導出する主管５から分岐する噴気用支管５ａ，５ａ，…に配設した多数の噴気孔６，６，…を該糞尿処理槽１の底部に配置した構成を有する。
【００１２】
而して、本発明の基本的な糞尿の水分低減方法は、上記の水分低減装置を用い、次のように行うものである。即ち、乳牛が排出する約９０％の含水率の糞尿を該糞尿処理槽１内に所望量仕込み、ブロワ４を始動し、所定時間の送風と所定時間の送風停止とを繰り返し行い、そのブロワ４の送風に伴い、その支管５ａ，５ａ，…に夫々配設した多数の噴気孔６，６，…より糞尿内へ所定時間噴気し糞尿に対し通風せしめることを所定時間行うことと、そのブロワ４の所定時間の送風停止に伴い、これら噴気孔６，６，…からの噴気通風の停止を所定時間行うことを繰り返し行う。然るときは、その所定時間の通風により、その通風の跡に糞尿中に無数に通水用の空隙路を生ずるので、次の通風停止の時間中に、無数の通水用の空隙路を通り糞尿中の尿が流下し該濾材よりの通過が促進される作用効果をもたらす。かくして、かゝるブロア４の間歇運転を含水率約８５％以下の糞尿となるまで水分を除去するに必要な所要日数行うことにより、後記に明らかにするように、前記のブロワ４の作動を行わずに、該濾材のみによる自然濾過により、所要の含水率約８５％以下の糞尿までとするに比し、その所要日数を著しく短縮することができることを確認した而も、ブロワの間歇運転で済むため、消費電力は少なくてすみ、経済的に所定の減水糞尿が得られる。
【００１３】
尚、該装置には、該糞尿処理槽１の底壁１ａに配設した排水口２，２，…の下方には、排水用通路７を形成すると共に該排水用通路７を尿貯溜槽８に連通せしめる尿回収設備を付設することが一般である。
該糞尿処理槽１の底壁１ａに穿孔して設ける排水口２の数や形状は任意であり、この場合、底壁１ａの全面に対する排水口２，２，…の全面積の比率も所望により採択される。
乳牛の飼育される乳牛の規模が大きくなり、仕込み量が増大する場合は、上記本発明の装置Ｐの糞尿処理槽１の容積を増大するか、上記装置Ｐを一ユニットとした場合、その複数ユニットを敷地内に配設するようにすることは勿論である。
【００１４】
図１乃至図７に示す本発明の実施の１例の水分低減装置Ｐにつき詳述する。
該糞尿処理槽１は、縦５ｍ×横３ｍ×高さ１ｍの容量１５ｍ３  の四角形状であり、敷地Ｇに設置する。図示の例では、該糞尿処理槽１は、敷地Ｇにその底壁１ｂを埋設して強固に構築した鉄筋コンクリート製のコ字状の成形囲枠壁１ｂと該コ字状の成形囲枠壁１ａの両側壁間の開放側面には、合成樹脂製又は木製の閉塞板１ｃが開閉自在に設けられている。更に詳細には、該閉塞板１ｃは、該コ字状囲枠壁１ｂの両側壁の外端面に垂直に且つ嵌合用溝を対向させて固着された左右一対の合成樹脂製又はゴム製コ字状の嵌合用溝枠１ｄ，１ｄに上方から差し込み自在とし、その閉塞時には、その開放側面を液密に閉塞したものである。
該糞尿処理槽１の底壁１ａに配設した夫々の排水口２，２，…は、長さ略２３ｃｍ、幅略２ｃｍの長矩形の排水口６を幅方向に略４０ｃｍの間隔を存して平行に５列配設し、その夫々の長矩形の上面全面に、該排水口２より広幅の長矩形状の耐腐食性金属製又は硬質合成樹脂製の板状濾材３，３，…をその両側縁に跨り敷設した。図示の例は、濾材３としてパンチングメタルを使用したものである。
この場合、敷設した各板状濾材３は、図７に明示するように、該底面１ａ１に、該排水口２の左右の上端縁に沿いＬ字状の嵌合係止用溝２ａ，２ａを形成し、これに該濾材３の左右両側縁を嵌めた状態に敷設するようにすることが好ましい。更に、該板状濾材３の下面には左右にその長さ方向に沿い係止用突条３ｂ，３ｂを配設し、排水口２の両側面と係合し、敷設された該濾材３のガタツキを防止するようにすることが好ましい。
尚、該濾材３に設ける多数の孔の径は２〜６ｍｍの範囲が適当であり、就中、４ｍｍ前後が好ましい。
【００１５】
各該長矩形の排水口２の下方に形成する排水用通路７は、次のように第１排水用通路７Ａと第２排水用通路７Ｂに形成した。即ち、図２に明示のように、その両端からその長さの中間部に至るに従い下降する適宜の勾配を有する傾斜底面７ａを有する第１排水用通路７Ａ，７Ａに形成されると共に、これら５本の長矩形排水口２の中間部と直交し且つ図２及び図３に明示のように内端から前記の尿貯溜槽８に接続する外端まで適宜の勾配で漸次下降する傾斜底面７ｂに形成された横断面コ字状の凹溝から成る第２排水用通路７Ｂを設けて成る尿回収設備を設けた。該尿貯溜槽８は、敷地Ｇを掘り下げて構築した鉄筋コンクリート製のものとした。８ａは、該尿貯溜槽８に設けた該第２排水用通路７Ｂと連接する開口である。
【００１６】
該底壁１ａに配設した平行する５列の長矩形の排水口２，２，…の各相隣る排水口２，２間の長矩形の底壁部には、前記ブロワ４から導出する主管５から分岐する４本の噴気用し管５ａ，５ａ，５ａ，５ａを該底壁１ａの構築時にその平行する４列の長矩形の底壁部の中心線上に埋設し、その各支管５ａにその長さ方向に等間隔に予め配設した多数の噴気孔６，６，…を該糞尿処理槽１の内部空間に露出せしめるように設けた。図面で４ａは、ブロワ４の架台を示す。
尚、各支管５ａに配設した各噴気孔６の孔径は０．５〜２ｍｍの範囲が適当であり、就中、１ｍｍ程度が好ましい。また、ブロワは、０．４Ｋｗ程度のもので充分であり、例えば、日立ＶＢ００４Ｇを使用する。主管５及び支管５ａは、ＳＵＳなどの耐腐食性の金属製又は硬質合成樹脂製であり、その内径は３０〜５０ｍｍの範囲でよい。
【００１７】
各支管５ａに配設した各噴気孔６は、その上端に整合して一体に固設した筒状ノズル６′による噴気口６とした。この場合、その筒状ノズル６′の上端は、図４及び図５に明示するように、該底壁１ａの底面１ａ１より少許下位に後退した位置に設置することが好ましく、更に、その上端の噴気孔６からの噴気が良好に行われるようにその先端の周囲に囲繞する円形などの凹窪面９に形成することが好ましい。
【００１８】
尚、該糞尿処理槽１の床面１ａ１は、その閉塞板１ｃをその左右のコ字状溝枠１ｄ，１ｄに嵌めてその開放側面を閉塞するに当たり、その下端が当接する面は、その外部の敷地Ｇ面と同じレベルの平坦面１ａ１ａに形成し、該平坦面１ａ１ａの内端から前記の平行する６枚の長矩形の板状濾材３，３，…の端面までは、濾材３，３，…側に至るに従い漸次下降する傾斜面１ａ１ｂし、これにより該糞尿処理槽１内に仕込んだ糞尿の一部、即ち、該傾斜面１ａ１ｂ上に位置する部分の含有水（尿）が該濾材３，３，…側へ流下し水分濾過作用を促進するようにした。
【００１９】
尚また、該糞尿処理槽１のコ字状囲枠壁１ｂのコ字状の内周面には、誘水板１０を、例えば、合成樹脂製の波形成形板１０を、その多数の凹溝１０ａ，１０ａ，…を垂直方向に向けて固設することが好ましい。その固設手段は任意であるが、該コンクリート製のコ字状囲枠壁１ｂの成形構築時に、該波形成形板１０を添えておき、その成形用型枠の脱型により固着するようにすることが好ましい。
かくして、該糞尿処理槽１内に仕込んだ糞尿が該コ字状囲枠壁１ｂの三辺の内周面に配設した夫々の誘水板１０に接触した面において、その含有水（尿）がこれら無数の垂直凹溝１０ａ，１０ａ，…により濾材面側に誘導流下し、その水分濾過作用を促進することができるようにした。
【００２０】
次に、上記の本発明装置Ｐを用いた糞尿の水分低減方法の具体的な実施例を比較例と共に説明する。
実施例１
乳牛１００頭が１日に排出した含水率８９％の糞尿６，０００Ｋｇを、図１に示す水分低減装置Ｐの該糞尿処理槽１内に投入して仕込んだ後、０．４Ｋｗのブロワ４を始動し、予めプログラム制御されたタイマーにより、例えば、２０分送風と３時間送風停止の間歇的送風を繰り返し行うようにした。かくして、この間歇的送風に従って、槽１の底壁に配設した４本の平行する支管５ａ，５ａ，…を介し、その各支管５ａに配設した多数の噴気用ノズル６′，６′，…の噴気孔６，６，…より該仕込み糞尿に対する２０分間の噴気通風と、３時間の通風停止とを繰り返し行った。かくして１日経過後、次の日に、該糞尿処理槽内に新たな乳牛１００頭が排出した含水率８９％の糞尿６，０００Ｋｇを仕込み、引き続き、ブロワ４の上記の間歇的送風を行い、噴気孔６，６，…よりの２０分間の通風と３時間の通風停止を繰り返し継続し、その後、経時的に、処理中の糞尿の含水率を測定した。その結果、上記のブロワの間歇的送風の開始から８日目に含水率８５％に減水した糞尿が得られた。このときの水分低減糞尿の重量は、８，８００Ｋｇに減少していた。また、３，２００Ｋｇの水分（尿）が除去できた。
実施例２
実施例１においては、含水率８９％の糞尿１２，０００Ｋｇを２日に分けて仕込んだが、含水率８９％の糞尿１２，０００Ｋｇを一度に仕込んで、実施例１と同様の間歇送風、即ち、糞尿に対し２０分間の噴気送風と３時間の通風停止とを繰り返したところ、実施例１と同様に８日目に含水率８５％に減水した糞尿が得られた。
比較例
実施例と同じ２日分の含水率８９％の糞尿１２，０００Ｋｇを、本発明装置Ｐの該糞尿処理槽内に仕込み、ブロワ４を作動することなく、糞尿中の尿をその濾材のみによる自然濾過にまかせた。その結果、仕込み開始から３２日目にやっと含水率８５％の糞尿が得られた。
【００２１】
上記の比較例と比較し明らかなように、本発明の水分低減方法によれば、含水率８９％の糞尿を所定の含水率８５％の糞尿に水分を低減することが極めて短時間に行うことができる。而も、ブロワ４を間歇的に作動するだけですむので、消費電力も少なくてすみ、経済的に所要の減水糞尿が得られ、従ってまた、大量の水分が除去されるので、重量、容量の減少した所要の糞尿が得られる。その結果、このように処理済みの含水率８５％の糞尿を該処理槽１から取り出し、これに水分調整材を添加混合して、堆肥化のための高温発酵に適した含水率６５〜６６％の糞尿を調整するには、オガ屑１，５００Ｋｇと戻し堆肥２，４００Ｋｇを添加すればすみ、含水率８９％の糞尿を同じ含水率の糞尿に調整するに必要なオガ屑３，０００Ｋｇ及び戻し堆肥３，０００Ｋｇを使用するに比し、著しく水分調整材の使用量を節約することができる。
尚、戻し堆肥の含水率は低ければ低い程良いので、含水率５０％又はそれ以下のものを作製し、使用することが好ましい。
【００２２】
尚、上記の実施例では、ブロワ４の間歇的作動を通風時間を２０分、通風停止時間を３時間と設定したが、その送風時及び送風停止時間は所望により適宜変更することができることは言うまでもない。また、該糞尿処理槽内に仕込み処理すべき糞尿の量の大小によって、適当に、その通風時間と通風停止時間を適宜変えて設定することができることは勿論である。
また、本発明の上記水分低減装置を用い水分低減方法を行い、含水率約９０％の乳牛の糞尿の含水率を４％低減して約８５％の糞尿を得る場合を示したが、含水率約９０％程度の糞尿から低減すべき含水率を所望に設定し、例えば、含水率８４％〜８０％の範囲の糞尿を得るようにしても良い。含水率８０％とした場合は、表３に示すように、オガ屑を使用しないですみ、更に安価に且つ容易に堆肥化処理に適した調整糞尿が得られる。
【００２３】
尚、上記の実施例による水分低減方法を行っている間に夫々の濾材３，３，…により濾過された尿は、図示の例では、排水口２，２，…から矢示の方向に夫々の第１排水用通路７Ａ，７Ａから該第２排水用通路７Ｂに流下し、更に、該第２排水用通路７Ｂを流下して該尿貯溜槽８内に回収されるようにした。この場合、該尿貯溜槽８に溜まった尿は、例えば、図３に想像線まで溜まれば排水ポンプなどで外部に取り出し、適当に処理される。
【００２４】
上記の処理済みの水分低減糞尿を、該糞尿処理槽１から取り出すには、閉塞板１ｃを除去し、ショベル車によりその槽１内の糞尿堆積物を取り出す。この場合、該槽１の底面１ａ１をショベル車が移動することになるが、各濾材３，３，…及び各ノズル６′，６′，…の上端は、床面１ａ１より突出していないので、損傷を防止できる一方、ショベル車による糞尿取り出し作業を円滑に行うことができる。
【００２５】
飼育する乳牛の頭数の規模に応じて、本発明の装置の糞尿処理槽１の容積は適当に定められ、また、その糞尿処理槽１の個数も複数個を用いることができる。
図８は、本発明の他の実施例の連続式の糞尿の水分低減装置を示す。即ち、図１に示すと同じ構成の糞尿処理槽１、即ち、本発明の濾材３，３，…と噴気用支管５ａ，５ａ，…を底面に具備した糞尿処理槽１を、２槽１Ａ，１Ｂを共通１台のブロワ４に対しその配管を介し並列に接続し、その配管の主管５から二股に分岐した２本の主管５′，５′と夫々の槽１Ａ，１Ｂの底壁１ａ，１ａに導入された平行する４本の噴気用支管５ａ，５ａ，５ａ，５ａとの間に電磁弁１１Ａ，１１Ｂを介在させ、図示しないタイマー制御装置により電磁弁１１Ａ，１１Ｂを所定の一定時間毎に交互に切り換えるようにして成る水分低減装置Ｐ′に構成した。尚、ブロワ４の間歇的作動は、プログラム制御により、上記の２０分間送風と３時間送風停止の繰り返しに限らず、適当に予め設定する。尚また、電磁弁１１Ａ，１１Ｂの切り換え時期もプログラムタイマーにより糞尿の仕込み両と目標とする含水率８５％又はそれ以下の糞尿となるまでに要する日数により予め設定される。
両槽１Ａ，１Ｂの底壁１ａ，１ａの下方に配設の第１排水用通路７Ａ，７Ａ，…は、これと直交する両槽１Ａ，１Ｂに共通の一本の第２排水用通路７Ｂを介して尿貯溜槽８に接続するようにした。
【００２６】
次に、この装置Ｐ′を用いた糞尿の水分低減方法の１例を説明する。
糞尿処理槽１Ａの電磁弁１１Ａを開とし、糞尿処理槽１Ｂの電磁弁１１Ｂを閉とした状態で、該糞尿処理槽１Ａに含水率約９０％の糞尿の所定量を仕込んだ後、ブロワ４の所定時間の送風と所定時間の送風停止とが繰り返される間歇的送風を開始し、該糞尿処理槽１Ａ内の糞尿に対する所定時間の通風と所定時間の通風停止とを繰り替えす本発明の水分低減処理を所定日数行う。一方、この水分低減処理を行っている間に、該糞尿処理槽１Ｂ内に含水率約９０％の糞尿の所定量を仕込んでおく。而して、所定の日数を経過し、該糞尿処理槽１Ａ内の糞尿の含水率が所定の含水率に低下したとき、電磁弁１１Ａは閉弁し、電磁弁１１Ｂは開弁する弁の切り換えが行われ、該糞尿処理槽１Ｂ内の糞尿の水分低減処理が始まり、その水分低減処理が行われている間に、該糞尿処理槽１Ａの閉塞板１ｃを開けてショベル車により処理済みの糞尿堆積物を外部に取り出した後、閉塞板１ｃを施し、新しい処理すべき糞尿を仕込む。所定の日数を経過後、該糞尿処理槽１Ｂ内の糞尿が所定の低含水率の糞尿となったとき、電磁弁１１Ｂは閉弁し、電磁弁１１Ａが開弁し、再び、該糞尿処理槽１Ａ内の水分低減処理が始まる。一方、該糞尿処理槽１Ｂ内の処理済みの糞尿堆積物を前記と同様に外部に取り出し、新しい処理すべき糞尿を仕込む。このようにして２つの槽１Ａ，１Ｂを使用し、交互に連続的に水分低減処理を行うようにすることができる。
【００２７】
図９乃至図１３は、本発明の更に他の実施例を示し、含水率約９０％の糞尿の所定量を１つの糞尿処理槽に仕込んだものを、ブロワによる間歇的送風を８日間で含水率８５％の糞尿処理を行うことを連続的に行うことができる本発明の更に他の実施例の糞尿の水分低減装置Ｐ″を示す。
図９に示す装置Ｐ″の構成は、図８に示す装置Ｐ′とは次の点で構成を異にする。その他の構成は装置Ｐ′と同じである。即ち、本発明の濾材３，３，…と噴気用支管５ａ，５ａ，…の配置を具備した糞尿処理槽１は、共通１つのブロワ４に対し並列に４槽１Ａ，１Ｂ，１Ｃ，１Ｄに配設したこと。夫々の槽１Ａ，１Ｂ，１Ｃ，１Ｄに対応して４個の電磁弁１１Ａ，１１Ｂ，１１Ｃ，１１Ｄを分岐主管５′，５′と槽１Ａ，１Ｂ，１Ｃ，１Ｄの夫々の底壁１ａ，１ａ，１ａ，１ａに夫々配設した４本の噴気用支管５ａ，５ａ，５ａ，５ａとの間に介在せしめたこと。４槽１Ａ，１Ｂ，１Ｃ，１Ｄの夫々の底壁１ａ，１ａ，…に配設した排水口２，２，…を直接、共通１本の傾斜底面７ｂ′を形成された広幅の凹面から成る排水用通路７を設けたことである。
【００２８】
上記の装置Ｐ″において、図示しないプログラムタイマーなどから成る連続自動制御装置によって、下記の表４及び表５に示すように、ブロワ４などがプログラム制御されるようにした。即ち、ブロワ４は８０分間の送風と１２０分間の送風停止とを繰り返す間歇的送風が行われるように設定され、電磁弁１１Ａ，１１Ｂ，１１Ｃ，１１Ｄのうち、先ず始めに電磁弁１１Ａ（表の第１槽弁）のみが開弁し、２０分間の開弁と、次いで１８０分間の閉弁とが繰り返されるようにして、糞尿処理槽１Ａ（表の第１槽）内への２０分間の通風と、次いで１８０分間の通風停止とが繰り返し行われるようにし、その電磁弁１１Ａ（表の第１槽弁）の前記の閉弁と同時に電磁弁１１Ｂ（表の第２槽弁）が開弁し、２０分間の開弁と、次いで１８０分間の閉弁とが繰り返し行われるようにして糞尿処理槽１Ｂ（表の第２槽）内への２０分間の通風と、次いで１８０分間の通風停止とが繰り返し行われるようにし、その電磁弁１１Ｂ（表の第２槽弁）の前記の閉弁と同時に電磁弁１１Ｃ（表の第３槽弁）が開弁し、２０分間の開弁と、次いで１８０分間の閉弁とが繰り返し行われるようにして糞尿処理槽１Ｃ（表の第３槽）内への２０分間の通風と、次いで１８０分間の通風停止とが繰り返し行われるようにし、その電磁弁１１Ｃの前記の閉弁と同時に電磁弁１１Ｄ（表の第４槽弁）が開弁し、２０分間の開弁と、次いで１８０分間の閉弁とが繰り返し行われるようにして糞尿処理槽１Ｄ（表の第４槽）内への２０分間の通風と、次いで１８０分間の通風停止とが繰り返し行われるようにし、その電磁弁１１Ｄの閉弁と同時に元に戻り、電磁弁１１Ａ（表の第１槽弁）の開弁が行われ、上記の２０分間の開弁と１８０分間の閉弁との繰り返しが行われ、以下、順次各槽における上記の作動が循環して行われるようにした。
而して、この装置Ｐ″を用い本発明の糞尿の水分低減方法を行うには、その４槽に夫々所定の一定量の含水率８９％の糞尿を一度に仕込み、前記のように夫々プログラムタイマー設定されたブロワ４により間歇的送風を前記の設定したプログラムに従い電磁弁１１Ａ，１１Ｂ，１１Ｃ，１１Ｄを順次開弁し、夫々の槽１Ａ，１Ｂ，１Ｃ，１Ｄにおいて、２０分間の通風と３時間の通風停止とを繰り返し、８日目には、糞尿処理槽１Ａ（第１槽）内の糞尿は、含水率８５％の糞尿となっているので、その処理済みの糞尿を取り出した後、新たな処理すべき糞尿を仕込む。次の日には、第２槽の、即ち糞尿処理槽１Ｂ内の糞尿は、含水率８５％の糞尿として得られるので、これを取り出した後新たな処理すべき糞尿を仕込む。以下同様にして、１日経過毎に第３槽、第４槽につき同様の処理を行うようにし、これら４槽を用いて所要の期間連続的に糞尿の水分低減処理を行うことができる。
尚、表５は、４槽における間歇的作動の循環して繰り返される状態を明らかにしたもので、３００分以後は省略したが、同様の繰り返しが行われることは勿論である。
【００２９】
【表４】
2004358439.tif 000006
【００３０】
【表５】
2004358439.tif 000007
【００３１】
上記装置Ｐ′及び装置Ｐ″では、複数の糞尿処理槽に対し共通１個のブロワを使用するようにして出来る限り設備を簡単にすることが好ましいが、図示しないが、複数の糞尿処理槽に対し、これに応じた数のブロワを夫々独立させて使用するようにしてもよい。換言すれば、本発明の基本構成から成る装置を１つのユニットとし、その複数ユニットを配設してもよいことは勿論である。
この場合、尿回収設備も夫々ユニット毎に付設してもよい。
【００３２】
図１０〜図１３は、本発明の変形例の糞尿の水分低減装置ＰＡを示し、図１に示す実施例の装置Ｐの構成を下記の点で変更した。
即ち、多数の噴気孔６，６，…を配設した噴気用支管５ａ，５ａ，…を同心円状に４本配設したこと。パンチング板の濾材３は、中心の円形状の排水口２上には円形のものを敷設し、該円孔の排水口２の外周の三重の円形状の排水口２，２，２上面には、一部を切り欠いた円環状のものを敷設した。底壁１ａに、これら排水口２，２，…間の多数の噴気孔６，６，…を配設された各支管５ａは円環状とし、径の異なる円環状の四重の同心円から成る底壁部の夫々に埋設された径の異なる円環状に配設され、更に、これらに共通に連通して交叉する直線状の底壁部に埋設された噴気孔６，６，…を設けた噴気用支管５ａをブロワ４から導出する主管５に接続されるようにした。
また、夫々の排水口２，２，…は、底壁１ａを貫通するものとし、これら排水口２，２，…の下方には、これら排水口２，２，…に共通の広幅で且つ傾斜底面７ｂ′をもつ排水用通路７に連通し、該排水用通路７の先端のテーパー状に凹溝通路の外端開口を該尿貯溜槽８の開口部８ａに連通するようにした。かゝる構成の装置ＰＡを用いても、先の実施例の装置Ｐと同様の上記した作用効果をもたらす。
また、図１２及び図１３に示すように、噴気用支管５ａに配設した噴気孔６は、先の実施例で使用した噴気用ノズル６′を省き、設備費を安価にし且つ簡単に底壁１ａに設置することができるようにした。
【００３３】
【発明の効果】
このように本発明は、糞尿処理槽の底部に排水口を配設し、これら排水口の上面に夫々濾材を施設すると共に、外部のブロワから導出した主管から分岐した噴気用支管を該糞尿処理槽の底部に配設した糞尿の水分低減装置を構成したので、ブロワの間歇的送風により、その噴気用支管の多数の噴気孔から該糞尿処理槽内に仕込んだ糞尿に対し、所定時間の通風と所定時間の通風停止とを繰り返し行うようにしたので、極めて短時間に所定の含水率約８５％程度又はそれ以下の含水率に低下した糞尿が得られる。而も、ブロワを間歇的に作動せしめるので、消費電力の節減をもたらし、安価に所定の減水糞尿が得られる。
【図面の簡単な説明】
【図１】本発明の実施の１例の糞尿の水分低減装置の一部を裁除した平面図。
【図２】図１のＩＩ−ＩＩ線拡大裁断面図。
【図３】図１のＩＩＩ−ＩＩＩ線拡大裁断面図。
【図４】図１のＩＶ−ＩＶ線拡大裁断面図。
【図５】図４のＶ−Ｖ線拡大裁断面図。
【図６】図１のＶＩ−ＶＩ線拡大裁断面図。
【図７】図１の一部の拡大平面図。
【図８】本発明の他の実施例の糞尿の水分低減装置の一部を裁除した平面図。
【図９】本発明の更に他の実施例の糞尿の水分低減装置の一部を裁除した平面図。
【図１０】本発明の変形例の糞尿の水分低減装置の一部を裁除した平面図。
【図１１】図１０のＸＩ−ＸＩ線拡大裁断面図。
【図１２】図１０のＸＩＩ−ＸＩＩ線拡大裁断面図。
【図１３】図１２のＸＩＩＩ−ＸＩＩＩ線拡大裁断面図。
【符号の説明】
１，１′，１Ａ，１Ｂ，１Ｃ，１Ｄ  糞尿処理槽
１ａ  底壁
１ｂ  コ字状囲枠壁
１ｃ  閉塞板
１ｄ  底面
Ｐ，Ｐ′，Ｐ″，ＰＡ  本発明の水分の低減装置
Ｇ  敷地
２  排水口
３  濾材、板状濾材
３ａ  濾材の孔
４  ブロワ
５  主管
５ａ  噴気用支管、支管
６  噴気孔
６′  噴気用ノズル
７  排水用通路
７Ａ  第１排水用通路
７Ｂ  第２排水用通路
８  尿貯溜槽
１０  誘水板
１１Ａ，１１Ｂ，１１Ｃ，１１Ｄ  電磁弁
【図１】
2004358439.tif 000008
【図２】
2004358439.tif 000009
【図３】
2004358439.tif 000010
【図４】
2004358439.tif 000011
【図５】
2004358439.tif 000012
【図６】
2004358439.tif 000013
【図７】
2004358439.tif 000014
【図８】
2004358439.tif 000015
【図９】
2004358439.tif 000016
【図１０】
2004358439.tif 000017
【図１１】
2004358439.tif 000018
【図１２】
2004358439.tif 000019
【図１３】
2004358439.tif 000020